【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
接触ゾーン内で、高温で１種または複数の窒素含有化合物がヒドリンダンチンと接触する、該１種または複数の窒素含有化合物を分析するための方法であって、
加熱ゾーン内で、第１の高温でニンヒドリンを１種または複数の還元剤に接触させることによって、ヒドリンダンチン含有混合物を生成するステップであって、該第１の高温は、１００℃から１６０℃である、ステップと、
該ヒドリンダンチン含有混合物を該接触ゾーンに導入し、第２の高温で該ヒドリンダンチン含有混合物を該窒素含有化合物に接触させるステップであって、該第２の高温は、１００℃から１６０℃である、ステップと
を含む方法。
【請求項２】
前記１種または複数の窒素含有化合物がアミノ酸である、請求項１に記載の方法。
【請求項３】
前記加熱ゾーンおよび／または前記接触ゾーンがコイルまたはカラムの形態で構成される、請求項１または２のいずれかに記載の方法。
【請求項４】
前記加熱ゾーンおよび接触ゾーンが別々のチャンバー内に収納されている、請求項１から３のいずれかに記載の方法。
【請求項５】
前記接触ゾーンが前記加熱ゾーンの下流に位置する、請求項１から４のいずれかに記載の方法。
【請求項６】
前記加熱ゾーンおよび前記接触ゾーンが同一の温度で作動する、請求項１から５のいずれかに記載の方法。
【請求項７】
前記加熱ゾーンおよび／または前記接触ゾーン内の温度が１１５℃〜１４５℃である、請求項１から６のいずれかに記載の方法。
【請求項８】
前記加熱ゾーンおよび／または前記接触ゾーン内の温度が１２０℃〜１３５℃である、請求項７に記載の方法。
【請求項９】
前記ニンヒドリンおよび前記還元剤が、前記加熱ゾーン内で１０〜１８０秒の期間の間加熱される、請求項１から８のいずれかに記載の方法。
【請求項１０】
前記ニンヒドリンおよび前記還元剤が、前記加熱ゾーン内で１５〜１２０秒の期間の間加熱される、請求項９に記載の方法。
【請求項１１】
前記ニンヒドリンおよび前記還元剤が、前記加熱ゾーン内で２０〜８０秒の期間の間加熱される、請求項１０に記載の方法。
【請求項１２】
前記ニンヒドリンおよび前記還元剤が、前記加熱ゾーン内で３０〜６０秒の期間の間加熱される、請求項１１に記載の方法。
【請求項１３】
前記ヒドリンダンチン含有混合物が、前記接触ゾーン内で１０〜１００秒の滞留時間を有する、請求項１から１２のいずれかに記載の方法。
【請求項１４】
前記ヒドリンダンチン含有混合物が、前記接触ゾーン内で２０〜８０秒の滞留時間を有する、請求項１３に記載の方法。
【請求項１５】
前記ヒドリンダンチン含有混合物が、前記接触ゾーン内で３０〜６０秒の滞留時間を有する、請求項１４に記載の方法。
【請求項１６】
ニンヒドリンからヒドリンダンチンの還元において、前記還元剤の活性に従いヒドリンダンチン生成の速度が制御される、請求項１から１５のいずれかに記載の方法。
【請求項１７】
ヒドリンダンチン生成の速度が、前記還元剤の濃度、前記加熱ゾーンおよび／または接触ゾーン内の反応時間ならびに該加熱ゾーンおよび／または接触ゾーン内の温度のうちの１つまたは複数を変化させることによって制御される、請求項１６に記載の方法。
【請求項１８】
ニンヒドリンがニンヒドリン試薬の形態の前記還元剤と接触し、該ニンヒドリン試薬が、
ニンヒドリンと、
水性緩衝液と、
第１の温度でニンヒドリンの還元において不活性であり、第２の温度でニンヒドリンをヒドリンダンチンへ還元する活性があり、該第２の温度が該第１の温度より高い、温度依存性還元剤と
を含み、
該ニンヒドリン試薬が前記加熱ゾーン内で少なくとも該第２の温度に加熱される、請求項１から１７のいずれかに記載の方法。
【請求項１９】
前記ニンヒドリン試薬が、ヒドリンダンチンを実質的に含まない、請求項１８に記載の方法。
【請求項２０】
前記第２の温度が少なくとも１００℃である、請求項１８または１９のいずれかに記載の方法。
【請求項２１】
前記温度依存性還元剤が、実施例１のプロトコル１の前記第２の温度での還元活性の基準を満たす化合物である、請求項１８から２０のいずれかに記載の方法。
【請求項２２】
前記温度依存性還元剤がプロトコル１に従い前記第２の温度での還元活性の基準を満たす、最小吸光度０．３が観察されている化合物である、請求項２１に記載の方法。
【請求項２３】
還元が不活性である第１の温度が０℃〜３０℃である、請求項１８から２２のいずれかに記載の方法。
【請求項２４】
還元が不活性である第１の温度が５℃〜２５℃である、請求項２３に記載の方法。
【請求項２５】
還元が不活性である第１の温度が１０℃〜２０℃である、請求項２４に記載の方法。
【請求項２６】
前記温度依存性還元剤が、実施例２のプロトコル２に従い、前記第１の温度において還元活性の基準を満たす化合物である、請求項１８から２５のいずれかに記載の方法。
【請求項２７】
前記温度依存性還元剤が、３カ月後にその初期の活性の少なくとも５０％の活性を有する化合物である、請求項２６に記載の方法。
【請求項２８】
前記温度依存性還元剤が、６カ月後にその初期の活性の少なくとも５０％の活性を有する化合物である、請求項２７に記載の方法。
【請求項２９】
前記温度依存性還元剤が、１２カ月後にその初期の活性の少なくとも５０％の活性を有する化合物である、請求項２８に記載の方法。
【請求項３０】
前記温度依存性還元剤が、２４カ月後にその初期の活性の少なくとも５０％の活性を有する化合物である、請求項２９に記載の方法。
【請求項３１】
前記温度依存性還元剤が、１種または複数の糖を含む、請求項１８から３０のいずれかに記載の方法。
【請求項３２】
前記温度依存性還元剤が、１種または複数の単糖を含む、請求項３１に記載の方法。
【請求項３３】
前記温度依存性還元剤が、グルコース、フルクトース、グリセルアルデヒド、ガラクトース、リボース、キシロース、エリトロース、トレオース、リキソース、アラビノース、アロース、アルトロース、マンノース、グロース、イドース、タロースおよびＬ−グリセロ−Ｄ−マンノ−ヘプトース、ジヒドロキシアセトン、エリトルロース、リブロース、キシルロース、プシコース、ソルボース、タガトース、セドヘプツロース、またはこれらの混合物を含む、請求項３２に記載の方法。
【請求項３４】
前記温度依存性還元剤が、１種または複数の二糖を含む、請求項３１または３２のいずれかに記載の方法。
【請求項３５】
前記温度依存性還元剤が、ラクトース、マルトース、トレハロース、セロビオース、コージビオース、ニゲロース、イソマルトース、ソホロース、スクロース、ラミナリビオース、ゲンチオビオース、ツラノース、マルツロース、パラチノース、ゲンチオビウロース、マンノビオース、メリビオース、メリビウロース、ルチノース、キシロビオースまたはこれらの混合物を含む、請求項３４に記載の方法。
【請求項３６】
前記温度依存性還元剤が、１種または複数のより長鎖の多糖を含む、請求項１８から３５のいずれかに記載の方法。
【請求項３７】
前記温度依存性還元剤が、スタキオース、デキストリン、マルトデキストリン、またはこれらの混合物を含む、請求項３６に記載の方法。
【請求項３８】
前記温度依存性還元剤が、１種または複数のカルボン酸および／またはその塩を含む、請求項１８から３７のいずれかに記載の方法。
【請求項３９】
前記温度依存性還元剤が、カルボン酸のＩ族またはＩＩ族の金属塩を含む、請求項３８に記載の方法。
【請求項４０】
前記温度依存性還元剤が１種または複数の単官能性カルボン酸またはその塩を含む、請求項３８または３９のいずれかに記載の方法。
【請求項４１】
前記カルボン酸がギ酸またはその塩である、請求項４０に記載の方法。
【請求項４２】
前記温度依存性還元剤が、少なくとも１種の追加の還元基を含む１種または複数のカルボン酸を含む、請求項３８から４１のいずれかに記載の方法。
【請求項４３】
前記温度依存性還元剤が、クエン酸または酒石酸を含む、請求項４２に記載の方法。
【請求項４４】
前記温度依存性還元剤が、１種または複数のアルデヒド基および／またはケトン基を有する１種または複数の化合物を含む、請求項１８から４３のいずれかに記載の方法。
【請求項４５】
前記温度依存性還元剤がアセトンを含む、請求項４４に記載の方法。
【請求項４６】
前記温度依存性還元剤が、１種または複数の無機化合物を含む、請求項１８から４５のいずれかに記載の方法。
【請求項４７】
前記温度依存性還元剤が、低い酸化状態の硫黄の無機化合物および／または低い酸化状態のリン酸素酸を含む、請求項４６に記載の方法。
【請求項４８】
前記温度依存性還元剤が、亜硫酸塩、チオ硫酸塩、亜リン酸塩および／もしくは次亜リン酸塩またはこれらの混合物を含む、請求項４７に記載の方法。
【請求項４９】
前記温度依存性還元剤が、１種または複数のヒドロキシル基を有するアルコールを含む、請求項１８から４７のいずれかに記載の方法。
【請求項５０】
前記温度依存性還元剤が、メタノール、エタノール、プロパノール、ポリエチレングリコール、エチレングリコール、プロピレングリコール、マンニトールおよびソルビトールまたはこれらの混合物を含む、請求項４９に記載の方法。
【請求項５１】
前記温度依存性還元剤が、メトキシエタノール、プロピレングリコールモノメチルエーテル、カルビトール、ジメチルスルホキシドもしくはスルホランまたはこれらの混合物を含む、請求項１８から５０のいずれかに記載の方法。
【請求項５２】
前記温度依存性還元剤の濃度が０．０１％〜７５％ｗ／ｖまたはｖ／ｖである、請求項１８から５１のいずれかに記載の方法。
【請求項５３】
前記温度依存性還元剤の濃度が０．０１％〜２０％ｗ／ｖまたはｖ／ｖである、請求項５２に記載の方法。
【請求項５４】
前記ニンヒドリン試薬中のニンヒドリンの濃度が０．５〜３％ｗ／ｖまたはｖ／ｖである、請求項１８から５３のいずれかに記載の方法。
【請求項５５】
前記ニンヒドリン試薬中のニンヒドリンの濃度が１〜２．５％ｗ／ｖまたはｖ／ｖである、請求項５４に記載の方法。
【請求項５６】
前記ニンヒドリン試薬中のニンヒドリンの濃度が約２％ｗ／ｖである、請求項５５に記載の方法。
【請求項５７】
前記緩衝液が水性緩衝液である、請求項１８から５６のいずれかに記載の方法。
【請求項５８】
前記緩衝液が、弱酸およびその共役塩基／塩のうちの１種を含む、請求項５７に記載の方法。
【請求項５９】
前記緩衝液が有機酸を含む、請求項５８に記載の方法。
【請求項６０】
前記緩衝液が、エタン酸またはプロパン酸を含む、請求項５９に記載の方法。
【請求項６１】
前記緩衝液が３〜７の間の値にｐＨを維持する、請求項１８から６０のいずれかに記載の方法。
【請求項６２】
前記緩衝液が、４〜６の間の値にｐＨを維持する、請求項６１に記載の方法。
【請求項６３】
前記緩衝液が４．５〜５．５の間の値にｐＨを維持する、請求項６２に記載の方法。
【請求項６４】
前記緩衝液が約５．２の値にｐＨを維持する、請求項６３に記載の方法。
【請求項６５】
１種または複数の有機溶媒をさらに含む、請求項１８から６４のいずれかに記載の方法。
【請求項６６】
前記有機溶媒が、ジメチルスルホキシド、エチレングリコール、プロピレングリコール、スルホラン、カルビトール、プロピレングリコールモノメチルエーテル、メチルセロソルブおよびメタノールまたはこれらの混合物を含む、請求項６５に記載の方法。
【請求項６７】
有機溶媒の濃度が１０％〜７５％ｖ／ｖである、請求項６５または６６のいずれかに記載の方法。
【請求項６８】
有機溶媒の濃度が２５％〜６５％ｖ／ｖである、請求項６７に記載の方法。
【請求項６９】
有機溶媒の濃度が３５％〜５５％ｖ／ｖである、請求項６８に記載の方法。
【手続補正２】
【補正対象書類名】明細書
【補正対象項目名】００２２
【補正方法】変更
【補正の内容】
【００２２】
本発明の方法は、試薬が接触ゾーンに提供される前に、１種または複数の温度依存性還元剤を第１の高温に予熱するための予熱コイルまたはカラムなどの、加熱ゾーンを使用する。予熱コイルまたはカラムなどの加熱ゾーンを使用して、温度依存性還元剤およびニンヒドリンを予熱することによって、窒素含有化合物の不在下で、および接触ゾーン内で分析対象の窒素含有化合物と接触させる前にヒドリンダンチンを形成する。
加熱ゾーンおよび接触ゾーンは、単一のチャンバーもしくはベッセル内にあってもよいし、または別々のベッセル内に収納されていてもよい。
本発明は、例えば、以下を提供する。
（項目１）
接触ゾーン内で、高温で１種または複数の窒素含有化合物がヒドリンダンチンと接触する、該１種または複数の窒素含有化合物を分析するための方法であって、
加熱ゾーン内で、第１の高温でニンヒドリンを１種または複数の還元剤に接触させることによって、ヒドリンダンチン含有混合物を生成するステップと、
該ヒドリンダンチン含有混合物を該接触ゾーンに導入し、第２の高温で該ヒドリンダンチン含有混合物を該窒素含有化合物に接触させるステップと
を含む方法。
（項目２）
前記１種または複数の窒素含有化合物がアミノ酸である、項目１に記載の方法。
（項目３）
前記加熱ゾーンおよび／または前記接触ゾーンがコイルまたはカラムの形態で構成される、項目１または２のいずれかに記載の方法。
（項目４）
前記加熱ゾーンおよび接触ゾーンが別々のチャンバー内に収納されている、任意の先行する項目に記載の方法。
（項目５）
前記接触ゾーンが前記加熱ゾーンの下流に位置する、任意の先行する項目に記載の方法。
（項目６）
前記加熱ゾーンおよび前記接触ゾーンが同一の温度で作動する、任意の先行する項目に記載の方法。
（項目７）
前記加熱ゾーンおよび／または前記接触ゾーン内の温度が１００℃〜１６０℃である、任意の先行する項目に記載の方法。
（項目８）
前記加熱ゾーンおよび／または前記接触ゾーン内の温度が１１５℃〜１４５℃である、項目７に記載の方法。
（項目９）
前記加熱ゾーンおよび／または前記接触ゾーン内の温度が１２０℃〜１３５℃である、項目８に記載の方法。
（項目１０）
前記ニンヒドリンおよび前記還元剤が、前記加熱ゾーン内で１０〜１８０秒の期間の間加熱される、任意の先行する項目に記載の方法。
（項目１１）
前記ニンヒドリンおよび前記還元剤が、前記加熱ゾーン内で１５〜１２０秒の期間の間加熱される、項目１０に記載の方法。
（項目１２）
前記ニンヒドリンおよび前記還元剤が、前記加熱ゾーン内で２０〜８０秒の期間の間加熱される、項目１１に記載の方法。
（項目１３）
前記ニンヒドリンおよび前記還元剤が、前記加熱ゾーン内で３０〜６０秒の期間の間加熱される、項目１２に記載の方法。
（項目１４）
前記ヒドリンダンチン含有混合物が、前記接触ゾーン内で１０〜１００秒の滞留時間を有する、任意の先行する項目に記載の方法。
（項目１５）
前記ヒドリンダンチン含有混合物が、前記接触ゾーン内で２０〜８０秒の滞留時間を有する、項目１４に記載の方法。
（項目１６）
前記ヒドリンダンチン含有混合物が、前記接触ゾーン内で３０〜６０秒の滞留時間を有する、項目１５に記載の方法。
（項目１７）
ニンヒドリンからヒドリンダンチンの還元において、前記還元剤の活性に従いヒドリンダンチン生成の速度が制御される、任意の先行する項目に記載の方法。
（項目１８）
ヒドリンダンチン生成の速度が、前記還元剤の濃度、前記加熱ゾーンおよび／または接触ゾーン内の反応時間ならびに該加熱ゾーンおよび／または接触ゾーン内の温度のうちの１つまたは複数を変化させることによって制御される、項目１７に記載の方法。
（項目１９）
ニンヒドリンがニンヒドリン試薬の形態の前記還元剤と接触し、該ニンヒドリン試薬が、
ニンヒドリンと、
水性緩衝液と、
第１の温度でニンヒドリンの還元において不活性であり、第２の温度でニンヒドリンをヒドリンダンチンへ還元する活性があり、該第２の温度が該第１の温度より高い、温度依存性還元剤と
を含み、
該ニンヒドリン試薬が前記加熱ゾーン内で少なくとも該第２の温度に加熱される、任意の先行する項目に記載の方法。
（項目２０）
前記ニンヒドリン試薬が、ヒドリンダンチンを実質的に含まない、項目１９に記載の方法。
（項目２１）
前記第２の温度が少なくとも１００℃である、項目１９または２０のいずれかに記載の方法。
（項目２２）
前記温度依存性還元剤が、実施例１のプロトコル１の前記第２の温度での還元活性の基準を満たす化合物である、項目１９から２１のいずれかに記載の方法。
（項目２３）
前記温度依存性還元剤がプロトコル１に従い前記第２の温度での還元活性の基準を満たす、最小吸光度０．３が観察されている化合物である、項目２２に記載の方法。
（項目２４）
前記第１の温度が０℃〜３０℃である、項目１９から２３のいずれかに記載の方法。
（項目２５）
前記第１の温度が５℃〜２５℃である、項目２４に記載の方法。
（項目２６）
前記第１の温度が１０℃〜２０℃である、項目２５に記載の方法。
（項目２７）
前記温度依存性還元剤が、実施例２のプロトコル２に従い、前記第１の温度において還元活性の基準を満たす化合物である、項目１９から２６のいずれかに記載の方法。
（項目２８）
前記温度依存性還元剤が、３カ月後にその初期の活性の少なくとも５０％の活性を有する化合物である、項目２７に記載の方法。
（項目２９）
前記温度依存性還元剤が、６カ月後にその初期の活性の少なくとも５０％の活性を有する化合物である、項目２８に記載の方法。
（項目３０）
前記温度依存性還元剤が、１２カ月後にその初期の活性の少なくとも５０％の活性を有する化合物である、項目２９に記載の方法。
（項目３１）
前記温度依存性還元剤が、２４カ月後にその初期の活性の少なくとも５０％の活性を有する化合物である、項目３０に記載の方法。
（項目３２）
前記温度依存性還元剤が、１種または複数の糖を含む、項目１９から３１のいずれかに記載の方法。
（項目３３）
前記温度依存性還元剤が、１種または複数の単糖を含む、項目３２に記載の方法。
（項目３４）
前記温度依存性還元剤が、グルコース、フルクトース、グリセルアルデヒド、ガラクトース、リボース、キシロース、エリトロース、トレオース、リキソース、アラビノース、アロース、アルトロース、マンノース、グロース、イドース、タロースおよびＬ−グリセロ−Ｄ−マンノ−ヘプトース、ジヒドロキシアセトン、エリトルロース、リブロース、キシルロース、プシコース、ソルボース、タガトース、セドヘプツロース、またはこれらの混合物を含む、項目３３に記載の方法試薬。
（項目３５）
前記温度依存性還元剤が、１種または複数の二糖を含む、項目３２または３３のいずれかに記載の方法。
（項目３６）
前記温度依存性還元剤が、ラクトース、マルトース、トレハロース、セロビオース、コージビオース、ニゲロース、イソマルトース、ソホロース、スクロース、ラミナリビオース、ゲンチオビオース、ツラノース、マルツロース、パラチノース、ゲンチオビウロース、マンノビオース、メリビオース、メリビウロース、ルチノース、キシロビオースまたはこれらの混合物を含む、項目３５に記載の方法。
（項目３７）
前記温度依存性還元剤が、１種または複数のより長鎖の多糖を含む、項目１９から３６のいずれかに記載の方法。
（項目３８）
前記温度依存性還元剤が、スタキオース、デキストリン、マルトデキストリン、またはこれらの混合物を含む、項目３７に記載の方法。
（項目３９）
前記温度依存性還元剤が、１種または複数のカルボン酸および／またはその塩を含む、項目１９から３８のいずれかに記載の方法。
（項目４０）
前記温度依存性還元剤が、カルボン酸のＩ族またはＩＩ族の金属塩を含む、項目３９に記載の方法。
（項目４１）
前記温度依存性還元剤が１種または複数の単官能性カルボン酸またはその塩を含む、項目３９または４０のいずれかに記載の方法。
（項目４２）
前記カルボン酸がギ酸またはその塩である、項目４１に記載の方法。
（項目４３）
前記温度依存性還元剤が、少なくとも１種の追加の還元基を含む１種または複数のカルボン酸を含む、項目３９から４２のいずれかに記載の方法。
（項目４４）
前記温度依存性還元剤が、クエン酸または酒石酸を含む、項目４３に記載の方法。
（項目４５）
前記温度依存性還元剤が、１種または複数のアルデヒド基および／またはケトン基を有する１種または複数の化合物を含む、項目１９から４４のいずれかに記載の方法。
（項目４６）
前記温度依存性還元剤がアセトンを含む、項目４５に記載の方法。
（項目４７）
前記温度依存性還元剤が、１種または複数の無機化合物を含む、項目１９から４６のいずれかに記載の方法。
（項目４８）
前記温度依存性還元剤が、低い酸化状態の硫黄の無機化合物および／または低い酸化状態のリン酸素酸を含む、項目４７に記載の方法。
（項目４９）
前記温度依存性還元剤が、亜硫酸塩、チオ硫酸塩、亜リン酸塩および／もしくは次亜リン酸塩またはこれらの混合物を含む、項目４８に記載の方法。
（項目５０）
前記温度依存性還元剤が、１種または複数のヒドロキシル基を有するアルコールを含む、項目１９から４８のいずれかに記載の方法。
（項目５１）
前記温度依存性還元剤が、メタノール、エタノール、プロパノール、ポリエチレングリコール、エチレングリコール、プロピレングリコール、マンニトールおよびソルビトールまたはこれらの混合物を含む、項目５０に記載の方法。
（項目５２）
前記温度依存性還元剤が、メトキシエタノール、プロピレングリコールモノメチルエーテル、カルビトール、ジメチルスルホキシドもしくはスルホランまたはこれらの混合物を含む、項目１９から５１のいずれかに記載の方法。
（項目５３）
前記温度依存性還元剤の濃度が０．０１％〜７５％ｗ／ｖまたはｖ／ｖである、項目１９から５２のいずれかに記載の方法。
（項目５４）
前記温度依存性還元剤の濃度が０．０１％〜２０％ｗ／ｖまたはｖ／ｖである、項目５３に記載の方法。
（項目５５）
前記ニンヒドリン試薬中のニンヒドリンの濃度が０．５〜３％ｗ／ｖまたはｖ／ｖである、項目１９から５４２のいずれかに記載の方法。
（項目５６）
前記ニンヒドリン試薬中のニンヒドリンの濃度が１〜２．５％ｗ／ｖまたはｖ／ｖである、項目５５に記載の方法。
（項目５７）
前記ニンヒドリン試薬中のニンヒドリンの濃度が約２％ｗ／ｖである、項目５６に記載の方法。
（項目５８）
前記緩衝液が水性緩衝液である、項目１９から５７のいずれかに記載の方法。
（項目５９）
前記緩衝液が、弱酸およびその共役塩基／塩のうちの１種を含む、項目５８に記載の方法。
（項目６０）
前記緩衝液が有機酸を含む、項目５９に記載の方法。
（項目６１）
前記緩衝液が、酢酸、エタン酸またはプロパン酸を含む、項目６０に記載の方法。
（項目６２）
前記緩衝液が３〜７の間の値にｐＨを維持する、項目１９から６１のいずれかに記載の方法。
（項目６３）
前記緩衝液が、４〜６の間の値にｐＨを維持する、項目６２に記載の方法。
（項目６４）
前記緩衝液が４．５〜５．５の間の値にｐＨを維持する、項目６３に記載の方法。
（項目６５）
前記緩衝液が約５．２の値にｐＨを維持する、項目６４に記載の方法。
（項目６６）
１種または複数の有機溶媒をさらに含む、項目１９から６５のいずれかに記載の方法。
（項目６７）
前記有機溶媒が、ジメチルスルホキシド、エチレングリコール、プロピレングリコール、スルホラン、カルビトール、プロピレングリコールモノメチルエーテル、メチルセロソルブおよびメタノールまたはこれらの混合物を含む、項目６６に記載の方法。
（項目６８）
有機溶媒の濃度が１０％〜７５％ｖ／ｖである、項目６６または６７のいずれかに記載の方法。
（項目６９）
有機溶媒の濃度が２５％〜６５％ｖ／ｖである、項目６８に記載の方法。
（項目７０）
有機溶媒の濃度が３５％〜５５％ｖ／ｖである、項目６９に記載の方法。